(57)【要約】【課題】インバータの安全装置が動作して緊急停止したインバータを含む圧縮機の故障診断を迅速に正確に行うインバータ診断方法を提供する。【解決手段】インバータ診断方法は、空調機または冷凍機の圧縮機に電力を供給するインバータの安全装置が作動して上記圧縮機が停止したときに上記インバータの機能を診断するインバータ診断方法において、上記圧縮機を上記インバータから分離し、代わりに疑似負荷を上記インバータに接続するとともに、上記インバータを稼動したときの上記疑似負荷の入力電圧が予め定めた判断基準を満足しているか否かにより上記インバータが正常または異常と判断する。【選択図】図１
2008245469.tif 000002
【特許請求の範囲】
【請求項１】
空調機または冷凍機の圧縮機に電力を供給するインバータの安全装置が作動して上記圧縮機が停止したときに上記インバータの機能を診断するインバータ診断方法において、
上記圧縮機を上記インバータから分離し、代わりに疑似負荷を上記インバータに接続するとともに、上記インバータを稼動したときの上記疑似負荷の入力電圧が予め定めた判断基準を満足しているか否かにより上記インバータが正常または異常と判断することを特徴とするインバータ診断方法。
【請求項２】
上記判断基準は、上記疑似負荷の各相の入力電圧間の差が所定の範囲内にあるとともに、上記疑似負荷の各相の入力電圧が所定の判定値上限と判定値下限との間にあることであることを特徴とする請求項１に記載のインバータ診断方法。
【請求項３】
空調機または冷凍機の圧縮機に電力を供給するインバータの安全装置が作動して上記圧縮機が停止したときに上記インバータの機能を診断するインバータ診断器において、
上記圧縮機が分離された上記インバータから電力が供給され、上記圧縮機の負荷を疑似する疑似負荷と、
上記疑似負荷の入力電圧を計測する電圧計と、
を備えることを特徴とするインバータ診断器。
【発明の詳細な説明】
【技術分野】
【０００１】
この発明は、冷凍機・空調機などの圧縮機を駆動するインバータを診断するインバータ診断方法およびその方法の診断に用いるインバータ診断器に関する。
【背景技術】
【０００２】
昨今の冷凍機や空調機などの冷媒を圧縮する圧縮機は、一般的にインバータにより駆動されている。そして、インバータの安全装置として運転電流をセンサで検出し、過大な電流が流れた場合に緊急停止するようにしている（例えば、特許文献１参照）。
【０００３】
【特許文献１】特開平３−１５７７０号公報
【発明の開示】
【発明が解決しようとする課題】
【０００４】
しかし、故障を診断するときに、インバータにおいて過電流が検出される原因として、インバータ自身の電気回路の不良だけでなく、圧縮機のモータの巻線断線や圧縮機の軸のかじりなどがあるため、故障の原因がインバータにあるのか圧縮機にあるのか診断に困る場合が起こりうる。そして、実際はインバータ自身の不良であっても診断を誤って圧縮機を交換してしまい、故障の修理に多くの工数が掛かり、費用もかさむという問題がある。
【０００５】
この発明の目的は、インバータの安全装置が動作して緊急停止したインバータを含む圧縮機の故障診断を迅速に正確に行うインバータ診断方法およびその方法の診断に用いるインバータ診断器を提供することである。
【課題を解決するための手段】
【０００６】
この発明に係るインバータ診断方法は、空調機または冷凍機の圧縮機に電力を供給するインバータの安全装置が作動して上記圧縮機が停止したときに上記インバータの機能を診断するインバータ診断方法において、上記圧縮機を上記インバータから分離し、代わりに疑似負荷を上記インバータに接続するとともに、上記インバータを稼動したときの上記疑似負荷の入力電圧が予め定めた判断基準を満足しているか否かにより上記インバータが正常または異常と判断する。
【発明の効果】
【０００７】
この発明に係るインバータ診断方法の効果は、インバータの安全装置が作動して停止した圧縮機をインバータから分離し、代わりに疑似負荷をインバータに接続してからインバータを稼動して疑似負荷の入力電圧を判断基準と比較することによりインバータの正常または異常を判断するので、インバータの安全装置の作動の原因がインバータ側にあるのか圧縮機側にあるのかを迅速に且つ正確に診断することができる。その結果、インバータが故障している場合、事前に携行したインバータを交換することにより、速やかに復旧することができることである。また、インバータが正常の場合、圧縮機に異常があると判断し代替の圧縮機の手配などをその場で行えることである。
【発明を実施するための最良の形態】
【０００８】
図１は、この発明に係る実施の形態によるインバータ診断器の回路図である。図２は、この発明に係る実施の形態によるインバータ診断器の斜視図である。
この発明に係る実施の形態によるインバータ診断器１は、図１に示すように、電動機を含む圧縮機２の負荷を疑似する疑似負荷３、疑似負荷３の入力端子４ａ、４ｂ、４ｃ間の電圧を計測する電圧計５ａ、５ｂ、５ｃ、疑似負荷３の入力端子４ａ、４ｂ、４ｃを流れる電流を計測する電流計６ａ、６ｂ、６ｃ、疑似負荷３の入力端子４ａ、４ｂ、４ｃに接続される診断用ケーブル７を備える。
【０００９】
疑似負荷３は、電動機を含む圧縮機２の負荷を電動機の入力端から見て疑似した負荷であり、スター結線された３相回路である。各相回路は、抵抗器８とコイル９とを直列に接続した回路である。
なお、電動機を含む圧縮機２の負荷を、等価な電気負荷として求めると抵抗成分は約１〜２Ω、インダクタンス成分は約１０ｍＨである。しかし、抵抗器８の抵抗を１〜２Ωにすると、発熱量が過多になり、携帯性を確保できないので、発熱量を抑えるために１０００Ωとする。また、コイル９のインダクタンスも、波形のリップルを抑えるために１５００ｍＨとする。このような抵抗とインダクタンスを定めることにより、携帯可能なインバータ診断器１を得ることができる。
【００１０】
インバータ診断器１の表面パネル１１には、図２に示すように、電圧計５ａ、５ｂ、５ｃと電流計６ａ、６ｂ、６ｃが配設されている。また、表面パネル１１には、疑似負荷３の入力端子４ａ、４ｂ、４ｃが接続されたレセプタクル１２が配設されている。
診断用ケーブル７は、３本のケーブルがまとめられたものであり、各ケーブルの一端にプラグ１３が接続されている。そして、プラグ１３をレセプタクル１２に嵌め込むことにより診断用ケーブル７を疑似負荷３に接続できる。
また、診断用ケーブル７の他端にワニ口クリップ１４が付設されている。そして、電動機の端子から外されたインバータ１５の電源ケーブル１６の一端は、図３に示すように、表側に引き出すことができるので、その一端をワニ口クリップ１４で挟めばインバータ１５とインバータ診断器１が簡単に接続することができる。
【００１１】
次に、インバータ１５の正常または異常を判断する判断基準について説明する。
疑似負荷３を接続した正常なインバータ１５では、疑似負荷３の各相の入力端子４ａ、４ｂ、４ｃの電圧の差が所定の範囲内、例えば１０Ｖ以内であるので、これを第１の判断基準とする。
また、疑似負荷３を接続した正常なインバータ１５の駆動周波数を２０Ｈｚから１２０Ｈｚまで掃引して、そのときの疑似負荷３の入力端子４ａ、４ｂ、４ｃの電圧を計測すると図４に示すように変化する。なお、インバータ１５の機種により入力端子４ａ、４ｂ、４ｃの電圧は上下するが、駆動周波数に対する依存性は類似している。そこで、図４に太線で表す判定値上限と判定値下限を設定して第２の判断基準として用いる。
診断対象のインバータ１５に疑似負荷３を接続して空調機の動作を開始すると、疑似負荷３の入力端子４ａ、４ｂ、４ｃの電圧が表示されるので、各相の電圧の差を求め第１の判断基準と比較することによりインバータ１５が正常または異常であると判断できる。
また、診断対象のインバータ１５に疑似負荷３を接続して空調機の動作を開始するとインバータ１５は可変電圧可変周波数で動作して疑似負荷３に電力を供給するが、圧縮機２は停止しているので、インバータ１５の駆動周波数は最終的には１２０Ｈｚまで増加する。そこで、疑似負荷３の入力端子４ａ、４ｂ、４ｃの電圧を、駆動周波数１２０Ｈｚのときの第２の判断基準と比較することにより、診断対象のインバータ１５が正常または異常であると判断できる。
【００１２】
次に、この発明に係る実施の形態によるインバータ診断方法について説明する。図５は、この発明に係る実施の形態によるインバータ診断方法の手順を示すフローチャートである。
診断員は、故障が起こった空調機を診断するために、予めインバータ診断器１を現場に携行する。同時に、診断対象のインバータ１５と同機種のインバータ１５を携行しても良い。
ステップＳ１０１で、故障した空調機を停止し、空調機の電源ブレーカを遮断する。
ステップＳ１０２で、診断するインバータ１５が駆動していた電動機につながっている電源ケーブル１６を電動機から取り外す。
ステップＳ１０３で、電動機から取り外された電源ケーブル１６の一端を診断用ケーブル７の一端にワニ口クリップ１４を用いて接続する。
ステップＳ１０４で、インバータ１５の異常検知無効の設定を行う。
ステップＳ１０５で、空調機の電源を投入し、空調機を運転する。
ステップＳ１０６で、電圧計５ａ、５ｂ、５ｃに表示される電圧の差が１０Ｖ以内であるか否かを判断する。電圧の差が１０Ｖ以内のときステップＳ１０７に進む、電圧の差が１０Ｖを超えているときステップＳ１０８に進む。
ステップＳ１０７で、空調機の運転開始から所定の時間経過後、電圧計５ａ、５ｂ、５ｃに表示される電圧が２１９Ｖ以下および１６５Ｖ以上であるか否かを判断する。表示される電圧が２１９Ｖ以下および１６５Ｖ以上であるとき、ステップＳ１０９に進み、表示される電圧が２１９Ｖを超え、または１６５Ｖ未満であるとき、ステップＳ１０８に進む。
ステップＳ１０８で、インバータ１５が異常であるとして診断を終了する。
ステップＳ１０９で、インバータ１５が正常であるとして診断を終了する。
【００１３】
この発明に係る実施の形態によるインバータ診断方法は、インバータ１５の安全装置が作動して停止した圧縮機２をインバータ１５から分離し、代わりに疑似負荷３をインバータ１５に接続してからインバータ１５を動かして疑似負荷３の入力電圧を判断基準と比較することによりインバータ１５の正常または異常を判断するので、インバータ１５の安全装置の作動の原因がインバータ１５側にあるのか圧縮機２側にあるのかを迅速に且つ正確に診断することができる。その結果、インバータ１５が故障している場合、事前に携行した代替のインバータ１５に交換することにより、速やかに復旧することができる。また、インバータ１５が正常の場合、圧縮機２に異常があると判断し代替の圧縮機２の手配などをその場で行える。
【図面の簡単な説明】
【００１４】
【図１】この発明に係る実施の形態によるインバータ診断器の回路図である。
【図２】この発明に係る実施の形態によるインバータ診断器の斜視図である。
【図３】この発明に係る実施の形態によるインバータ診断器をインバータに接続した様子を示す斜視図である。
【図４】この発明に係る実施の形態による疑似負荷の入力電圧のインバータ駆動周波数の依存性を示すグラフである。
【図５】この発明に係る実施の形態によるインバータ診断方法の手順を示すフローチャートである。
【符号の説明】
【００１５】
１  インバータ診断器、２  圧縮機、３  疑似負荷、４ａ、４ｂ、４ｃ  入力端子、５ａ、５ｂ、５ｃ  電圧計、６ａ、６ｂ、６ｃ  電流計、７  診断用ケーブル、８  抵抗器、９  コイル、１１  表面パネル、１２  レセプタクル、１３  プラグ、１４  ワニ口クリップ、１５  インバータ、１６  電源ケーブル。
【図１】
2008245469.tif 000003
【図２】
2008245469.tif 000004
【図３】
2008245469.tif 000005
【図４】
2008245469.tif 000006
【図５】
2008245469.tif 000007